(57)【要約】【課題】  組立作業を容易迅速に行える組立用階段を提供することを課題とする。【解決手段】  組立用階段は、複数の支柱７を前後方向に沿って列状に配置して構成された支柱群と、上下のプレート部３，４と上下のプレート部３，４の間隔を保持して上下のプレート部間に収容物を収容可能とするためのスペーサ部５とを有する複数の収納体２とを備え、収納体２は、所定の支柱を貫通可能な貫通孔を外周縁の特定箇所に備え、複数の収納体２を支柱７に貫通させて上下に積み重ねることによって、後方側ほど高くなるように高さが異なる複数のブロック体を構成し、列状に配置されたブロック体群のうちの複数のブロック体の最上部に位置する収納体２の左右幅方向両側の少なくとも一側に位置する支柱７を収納体２から上方に突出させ、突出させた支柱により手すり９を構成した。【選択図】図１
2010229654.tif 000002
【特許請求の範囲】
【請求項１】
複数の支柱を少なくとも前後方向に沿って列状に配置して構成された支柱群と、上下のプレート部と該上下のプレート部の間隔を保持して上下のプレート部間に収容物を収容可能とするためのスペーサ部とを有する複数の収納体とを備え、前記収納体は、所定の支柱を貫通可能な貫通孔を外周縁の特定箇所に備え、複数の収納体を前記支柱に貫通させて上下に積み重ねることによって、後方側ほど高くなるように高さが異なる複数のブロック体を構成し、列状に配置されたブロック体群のうちの複数のブロック体の最上部に位置する収納体の左右幅方向両側の少なくとも一側に位置する支柱を該収納体から上方に突出させ、該突出させた支柱により手すりを構成したことを特徴とする組立用階段。
【請求項２】
前記支柱群は、支柱が左右方向に間隔を置いて位置していることを特徴とする請求項１に記載の組立用階段。
【請求項３】
前記手すりが、前記ブロック体の左右幅方向両側に設けられていることを特徴とする請求項１又は２に記載の組立用階段。
【請求項４】
前記上下のプレート部が、矩形状で板状の本体と、該本体の四隅に前記４本の支柱を上下方向から貫通可能な貫通孔が形成された貫通部とから構成されていることを特徴とする請求項１〜３の何れか１項に記載の組立用階段。
【請求項５】
前記貫通部が、前記本体の四隅に本体の板厚よりも上下方向に長い筒部により構成されていることを特徴とする請求項４に記載の組立用階段。
【請求項６】
突出させた前記複数の支柱の一部又は全部を、その上端が天井面に接当して突っ張り棒として機能するように該支柱を延出する、又は別体構成された棒を連結したことを特徴とする請求項１〜５の何れか１項に記載の組立用階段。
【請求項７】
前後方向で隣り合う前記収納体のうちの前側の収納体の後端と後側の収納体の前端とを、共通の左右の支柱に貫通させてブロック体を構成したことを特徴とする請求項１〜６の何れか１項に記載の組立用階段。
【請求項８】
前記手すりが、突出させた前記複数の支柱同士を連結部材により連結して構成したことを特徴とする請求項１〜７の何れか１項に記載の組立用階段。
【発明の詳細な説明】
【技術分野】
【０００１】
本発明は、例えばロフトなどへ上がるために設けられる組立用階段に関する。
【背景技術】
【０００２】
従来、組立用階段としては、例えば高さと幅の異なる複数の家具、具体的には複数の抽斗型の小幅家具、小幅家具よりも高くて幅の広い抽斗型の中幅家具の他、中幅家具よりも高くて幅の広い開き戸型の第１広幅家具及び第２広幅家具を用意し、これらの家具を用いて組み立てたものが既に提案されている（例えば、特許文献１）。
【０００３】
前記複数の家具は、各家具の抽斗や開き戸が左右方向の同一方向から引き出せるあるいは開閉できるように、背の低い家具から順番に前後方向に沿って列状に配置され、それら家具のうちの前後方向において幅の広い中幅家具や広幅家具の後側上面に、単数又は複数の小幅家具を載置することで、階段状に構成できるようにしている。
【０００４】
また、前記のように組み立てられた階段を構成するすべての家具が一体化するように、前後方向で隣り合う家具の側板同士を連結金具により連結することが行われている。そして、その連結が容易に行なえるように、各家具を容易に移動させるためのブレーキ付キャスタを各家具の下面に備えている。
【先行技術文献】
【特許文献】
【０００５】
【特許文献１】特開２００３−２８９９６４号公報
【発明の概要】
【発明が解決しようとする課題】
【０００６】
特許文献１の構成によれば、小幅家具、中幅家具、広幅家具の各家具を左右方向及び前後方向において位置合わせしながら配置しなければならないだけでなく、広幅家具の後側上面に小幅家具を積み重ねるときに、下側の広幅家具に対して上側の小幅家具の前後方向及び左右方向における位置合わせをも行わなければならないため、積み重ね作業を迅速に行うことができない。
また、前記のように前後方向で隣り合う家具の側板同士を連結金具により連結する作業が煩わしい作業になるだけでなく、連結金具により連結する前に、邪魔になる抽斗を抜いておく作業や開き戸を開放にしておく作業が同時に必要になる。さらに、連結後において抜いた抽斗を入れ直す作業や開放した開き戸を閉じる作業も必要になることから、組立作業が非常に煩わしい作業になっていた。
【０００７】
そこで、本発明は、上記問題に鑑みてなされたもので、組立作業を容易迅速に行える組立用階段を提供することを課題とする。
【課題を解決するための手段】
【０００８】
本発明の組立用階段は、上記課題を解決すべく構成され、複数の支柱を少なくとも前後方向に沿って列状に配置して構成された支柱群と、上下のプレート部と該上下のプレート部の間隔を保持して上下のプレート部間に収容物を収容可能とするためのスペーサ部とを有する複数の収納体とを備え、前記収納体は、所定の支柱を貫通可能な貫通孔を外周縁の特定箇所に備え、複数の収納体を前記支柱に貫通させて上下に積み重ねることによって、後方側ほど高くなるように高さが異なる複数のブロック体を構成し、列状に配置されたブロック体群のうちの複数のブロック体の最上部に位置する収納体の左右幅方向両側の少なくとも一側に位置する支柱を該収納体から上方に突出させ、該突出させた支柱により手すりを構成したことを特徴としている。
【０００９】
上記構成によれば、複数の支柱を前後方向に沿って列状に配置し、それら配置した支柱のうちの所定の複数の支柱に、必要個数の収納体を順次貫通させるだけで、前後方向に位置決めした状態で上下方向に収納体を積み重ねることができる。このように前後方向に順次収納体を積み重ねて、高さの異なるブロック体を構成することによって、階段を構成することができる。そして、収納体から上方に支柱を突出させ、その突出させた支柱を利用して最上部に位置する収納体の左右幅方向両側の少なくとも一側に手すりを構成することができる。
【００１０】
また、本発明の組立用階段を構成する支柱群は、支柱が左右方向に間隔を置いて位置していてもよい。
【００１１】
また、本発明の組立用階段は、前記手すりが、前記ブロック体の左右幅方向両側に設けられていてもよい。
【００１２】
また、本発明の組立用階段は、前記上下のプレート部が、矩形状で板状の本体と、該本体の四隅に前記４本の支柱を上下方向から貫通可能な貫通孔が形成された貫通部とから構成されていてもよい。
【００１３】
また、本発明の組立用階段は、前記貫通部が、前記本体の四隅に本体の板厚よりも上下方向に長い筒部により構成されていてもよい。
【００１４】
また、本発明の組立用階段は、突出させた前記複数の支柱の一部又は全部を、その上端が天井面に接当して突っ張り棒として機能するように該支柱を延出する、又は別体構成された棒を連結していてもよい。
【００１５】
上記構成にすれば、突出させた支柱の上端が天井面に接当することから、支柱の下端を床面などに架台コンクリート等簡単に分解できない固定方法で固定しなくても、天井と床面などとの間に支柱をドライバー等、簡易な工具で固定することができる。
【００１６】
また、本発明の組立用階段は、前後方向で隣り合う前記収納体のうちの前側の収納体の後端と後側の収納体の前端とを、共通の左右の支柱に貫通させてブロック体を構成してもよい。
【００１７】
上記構成にすれば、前側の収納体の後端と後側の収納体の前端とを、共通の左右の支柱に貫通させてブロック体を構成することができるから、特別な連結部材を用いることなく、前側の収納体と後側の収納体とを共通の左右の支柱により前後方向で連結することができる。
【００１８】
また、本発明の組立用階段は、前記手すりが、突出させた前記複数の支柱同士を連結部材により連結して構成されていてもよい。
【発明の効果】
【００１９】
以上の如く、本発明は、支柱に必要個数の収納体を順次貫通させるだけで、前後方向に位置決めした状態で上下方向に収納体を積み重ねることができるから、収納体に対する水平方向の位置決めが不要になるだけでなく、連結金具による連結も不要にすることができる。従って、組立作業を容易迅速に行える組立用階段を提供することができる。
【図面の簡単な説明】
【００２０】
【図１】組み立てられた組立用階段の一形態の全体側面図を示す。
【図２】図１の組立用階段の正面図を示す。
【図３】図１の組立用階段を構成する収納体の分解斜視図を示す。
【図４】突っ張り棒を設けた第２の形態の組立用階段の全体側面図を示す。
【図５】第２の形態の収納体の分解斜視図を示す。
【図６】第３の形態の収納体の分解斜視図を示す。
【図７】第４の形態の収納体を構成するスペーサ部斜視図を示す。
【図８】第５の形態の収納体の分解斜視図を示す。
【図９】前後方向において各収納体を４本の支柱に貫通して完成させた第２の形態の組立用階段の全体側面図を示す。
【発明を実施するための形態】
【００２１】
以下、本発明に係る組立用階段について、図面を参酌しつつ説明する。
【００２２】
図１は、ロフト１へ上がれるために組み立てられた組立用階段の全体側面図を示し、図２は、図１の組立用階段の正面図を示し、図３に、組立用階段を構成する収納体２を示す分解斜視図を示している。尚、ロフトとは、建物の最上階又は屋根裏にある部屋を言い、図１において天井面Ｔとの間に形成される空間である。
【００２３】
図３に示すように、収納体２は、上下のプレート部３，４と、これら上下のプレート部３，４の間隔を保持して上下のプレート部３，４間に収容物を収容可能とするための４本のスペーサ部５とを備えて構成されている。従って、外周方向で隣り合う２本のスペーサ部５，５間に形成される全部で４つの開口のいずれかの開口を通して上下のプレート部３，４間に収容物を収容することができる。
【００２４】
前記上下の各プレート部３又は４は、ほぼ矩形状で板状の本体３Ａ又は４Ａと、この本体３Ａ又は４Ａの四隅に備え、かつ、本体の板厚よりも上下方向に長い円筒部３Ｂ又は４Ｂとから構成されている。前記４つの円筒部３Ｂ又は４Ｂは、前後左右に配置される後述の４本の円形の支柱６，７、６，７を上下方向から貫通可能な貫通孔３ｂ又は４ｂを備えた貫通部を構成している。
【００２５】
前記スペーサ部５は、上下に貫通する貫通孔５Ａを備えた円筒状部材からなり、後述の４本の支柱６，７、６，７にそれぞれ貫通し、上側の円筒部３Ｂの下面と下側の円筒部４Ｂの上面とに接当して上下のプレート部３，４を所定間隔に保持することができるようになっている。
【００２６】
前記支柱６，７及び収納体２は、保形性を有するものであれば、どのような材料のものであってもよく、例えば、合成樹脂、金属、木、コンクリートなどから構成することができる。
【００２７】
図１及び図２に示すように、組立用階段は、床面８上に多数の収納体２を積み重ねることによって、ロフト１の下側を構成する縁部１Ａまで上って行くための階段として構成されている。
【００２８】
具体的には、左右一対の円形パイプなどからなる支柱６，７を前後方向に沿って二列状に配置して支柱群を構成し、これら配置した支柱６，７のうちの前後４本の支柱６，７、６，７に収納体２を構成する下側プレート部４、４本のスペーサ部５、上側プレート部３を順に貫通させることによって、前後方向及び左右方向に位置決めした状態で上下方向に収納体２を積み重ねることができる。前記のように、収納体２の四隅に４本の支柱６，７、６，７がそれぞれ貫通する構成にすることによって、収納体２の収納空間を有効に形成することができるが、収納体２の四隅に４本の支柱６，７、６，７がそれぞれ貫通する構成でなくてもよい。
【００２９】
また、前記支柱６，７のうちの前後方向２番目、４番目、６番目の左右の支柱６，７を、それらに貫通して積み重ねられる収納体２のうちの最上部に位置する収納体２から上方に所定長さだけ突出するように延出させ、その延出部６Ａ，７Ａを利用して手すり９を構成している。ここでは、組立用階段の左右両側に手すりを備えている。これら手すりは、階段を昇降しているときに側方からの落下を防ぐ目的もあるため、形状や部品点数などの具体的構成は自由に変更することができる。
【００３０】
前記手すり９は、２番目、４番目、６番目の左右の支柱６，７の延出部６Ａ，７Ａの上端同士を棒状の連結部材１０により連結することにより階段とほぼ平行となるように構成されている。具体的には、３箇所の延出部６Ａ，７Ａの上端のそれぞれに、円筒状の継手１１の下端に備えさせた円筒状の連結部１１Ａを差し込んで該継手１１を備えさせ、これら３つの継手１１に渡って貫通する長さに構成された連結部材１０を挿入し、ビスにより連結部材１０を継手１１に固定することにより、手すり９を完成することができる。
【００３１】
次に、組立用階段の組立手順について説明する。
まず、左右一対の支柱６，７を、ロフト１の縁部１Ａまで延びる縦壁１３付近に最後尾の支柱６，７が位置するように前後方向に沿って間隔を置いて立設する。ここでいう立設とは、例えば既にメスねじが埋め込まれた床面に凹部がある防振マットをオスねじで固定し，防振マットの凹部に支柱６，７の下端を固定する他、床面に支柱６，７の下端を固定するための各種の固定部材を取り付け、その取り付けた固定部材に支柱６，７の下端を固定する構成であってもよい。
【００３２】
次に、前記のように立設された全部で１６本の支柱６，７に、収納体２を貫通させて上下に積み重ねることになる。図１では、前後方向で隣り合う収納体２のうちの前側の収納体２の後端と後側の収納体２の前端とを、共通の左右の支柱６，７に貫通させている。このように構成することによって、特別な連結部材を用いることなく、前側の収納体２と後側の収納体２とを共通の左右の支柱６，７により前後方向で連結することができる。尚、図１の構成では、最後尾に位置する収納体２の上下の間において、下から二段目、四段目、六段目の収納体２の上下に上下のプレート部３，４を配置しないで、円筒状のスペーサ１２を配置することによって、組立用階段の最後尾の背面の一部が後側に突出することがなく、組立用階段の最後尾の背面をほぼ垂直面に形成することができる。従って、組立用階段を縦壁１３の壁面にできるだけ近付けて配設することができる。支柱が２ｍ以上長くなり、搬入に支障をきたす場合は、１ｍ前後に複数本の柱体にて分割でき、分割した柱体の接合部は、下側の柱体の上端部はメスねじ部をもち、上側の柱体の下端部はオスねじ部をもつ等、接合・分割ができる構成としてもよい。
【００３３】
収納体２を１６本の支柱６，７に貫通させる場合には、たとえば最前に位置する１番目と２番目に位置する４本の支柱６，７、６，７、３番目と４番目に位置する４本の支柱６，７、６，７、５番目と６番目に位置する４本の支柱６，７、６，７、７番目と８番目に位置する４本の支柱６，７、６，７にそれぞれ、収納体２を構成する下側プレート部４、４本のスペーサ部５、上側プレート部３を順次貫通させることによって、最下段に前後方向で一つ置きに収納体２を構成して、合計４個の収納体２を設置する。
【００３４】
次に、２番目と３番目に位置する４本の支柱６，７、６，７、４番目と５番目に位置する４本の支柱６，７、６，７、６番目と７番目に位置する４本の支柱６，７、６，７にそれぞれ、収納体２を構成する下側プレート部４、４本のスペーサ部５、上側プレート部３を順次貫通させることによって、前述の最下段の収納体２同士を連結するべく、収納体２，２間の上方に位置する状態で２段目に前後方向で一つ置きに収納体２を構成して、合計３個の収納体２を設置する。
【００３５】
続いて、３番目と４番目に位置する４本の支柱６，７、６，７、５番目と６番目に位置する４本の支柱６，７、６，７、７番目と８番目に位置する４本の支柱６，７、６，７にそれぞれ、収納体２を構成する下側プレート部４、４本のスペーサ部５、上側プレート部３を順次貫通させることによって、前述の２段目の収納体２同士を連結するべく、収納体２，２間の上方に位置する状態で３段目に前後方向で一つ置きに収納体２を構成して、合計３個の収納体２を設置する。
【００３６】
さらに、４番目と５番目に位置する４本の支柱６，７、６，７、６番目と７番目に位置する４本の支柱６，７、６，７にそれぞれ、収納体２を構成する下側プレート部４、４本のスペーサ部５、上側プレート部３を順次貫通させることによって、前述の３段目の収納体２同士を連結するべく、収納体２，２間の上方に位置する状態で４段目に前後方向で一つ置きに収納体２を構成して、合計２個の収納体２を設置する。
【００３７】
また、さらに、５番目と６番目に位置する４本の支柱６，７、６，７、７番目と８番目に位置する４本の支柱６，７、６，７にそれぞれ、収納体２を構成する下側プレート部４、４本のスペーサ部５、上側プレート部３を順次貫通させることによって、前述の４段目の収納体２同士を連結するべく、収納体２，２間の上方に位置する状態で５段目に前後方向で一つ置きに収納体２を構成して、合計２個の収納体２を設置する。
【００３８】
また、６番目と７番目に位置する４本の支柱６，７、６，７に、収納体２を構成する下側プレート部４、４本のスペーサ部５、上側プレート部３を順次貫通させることによって、前述の５段目の収納体２同士を連結するべく、収納体２，２間の上方に位置する状態で６段目に一つの収納体２を設置する。
【００３９】
最後に、７番目と８番目に位置する４本の支柱６，７、６，７に、収納体２を構成する下側プレート部４、４本のスペーサ部５、上側プレート部３を順次貫通させることによって、前述の６段目の収納体２同士を連結するべく、収納体２，２間の上方に位置する状態で７段目（最上段）に一つの収納体２を設置して、収納体２の設置作業を終了する。尚、８番目の支柱６，７においては、前述したように６個のスペーサ１２を挿入することになる。
【００４０】
このように収納体２を支柱６，７に貫通させて積み重ねることによって、前後方向において後方側ほど一個分の収納体２だけ高くなるように高さが異なる複数（図１では７個）のブロック体を構成している。これらブロック体は、図１において収納体２が千鳥状に配置されていることから、収納体２の個数を少なくしながらも、前後方向において隣り合う収納体２，２同士を連結することができる。
【００４１】
収納体２の配置作業が完了した後は、前述したように、収納体２から延びる左右で合計６本の支柱６，７に、継手１１を差し込んでから、連結部材１０を継手１１に挿入し、ビスにより連結部材１０を継手１１に固定して手すり９を構成して、組立用階段の組立作業が完了する。尚、床面に防振マットを敷設しておいてもよい。
【００４２】
尚、本発明は、上記実施形態に限定されるものではなく、本発明の要旨を逸脱しない範囲で種々の変更が可能である。
【００４３】
例えば、上記実施形態では、手すり９を階段の左右幅方向両側に備えさせたが、例えば壁際に階段を設置する場合などは、壁側の手すりを省略して壁から離れる側のみに手すりを備えさせる構成であってもよい。
【００４４】
また、上記実施形態では、同一の大きさの収納体２を積み重ねた場合を示したが、一部のみ大きさの異なる収納体を積み重ねて実施してもよい。また、後方側ほどブロック体が一個分の収納体２だけ高くなるように構成したが、収納体２の上下方向の大きさ（高さ）によっては複数分の収納体２だけ高くなるように構成してもよい。
【００４５】
また、上記実施形態では、支柱６，７の下端を床に固定することによって、支柱を立設できるようにしたが、例えば図４に示すように、一部の支柱６，７の上端が天井面Ｔに接当して突っ張り棒として機能するように、別の棒を支柱６，７の延出部６Ａ，７Ａ（図４では右側のみ図示している）に連結することによって、支柱６，７の下端を床に固定しなくても支柱６，７を立設することができ、床面３に孔を開ける、又は固定部材を取り付けることなどが一部削減できる。図４では、一部の支柱６，７のみについて行っているが、全ての支柱６，７について行うことによって、床面３に孔を開ける、又は固定部材を取り付けることなどが全く不要にできる。尚、天井面Ｔと床面３との間で突っ張り作用を機能させることによって、支柱６，７を立設させる他、最下段の収納体２に支柱６，７の下端を受け止める受止部を備えさせている場合には、天井面Ｔと最下段の収納体２の受止部との間で突っ張り作用を機能させて支柱６，７を立設させることができる。
【００４６】
図４を詳細に説明すれば、図１で示した継手１１により３つの部材を連結できるように、継手１１の上端に上方に開口する連結部１１Ｂを備えさせ、これら連結部１１Ｂに長さ調節可能な別の棒としての内外二重パイプ１４の下端を差し込んでいる。前記内外二重パイプ１４は、天井面Ｔにパイプ径よりも大きな径で接当する脚部１４ａを備えた上側パイプ部１４Ａと、このパイプ部１４Ａの下端に上端が内挿され、かつ、下端が連結部１１Ｂに内挿される下側パイプ部１４Ｂと、上側パイプ部１４Ａに対する下側パイプ部１４Ｂの移動を阻止する固定手段としての固定ネジ１５とを備えている。図４では、別の棒を支柱６，７の延出部６Ａ，７Ａに連結した場合を示したが、延出部６Ａ，７Ａを天井面Ｔまで延ばして実施することもできる。
【００４７】
また、図３で示した収納体２を、図５〜図８に示すように構成してもよい。
図５では、図１のスペーサ部５が上側プレート部３の円筒部３Ｂに一体化された状態を示している。つまり、スペーサ部５付の上側プレート部３と下側プレート部４の２つの部材から収納体２を構成している。
【００４８】
図６では、図１で示した４本のスペーサ部５を２本ずつ連結板部１６により連結して、スペーサ５部を２つの部材から構成した場合を示している。この場合、上側プレート部３と下側プレート部４との間に収容物を収容する場合には、左右方向両側に形成される２つの開口を通して行うことになる。
【００４９】
図７では、図１で示した４本のスペーサ部５を３枚の連結板部１７，１８，１９により周方向３箇所で連結してスペーサ部５を１つの部材から構成した場合を示している。尚、周方向１箇所を開放している部分から収容物を出し入れすることになる。
【００５０】
図８では、図１で示した円筒状のスペーサ部５を、上側プレート部３を構成する本体３Ａの一側下面に下方に向かうように一体化された矩形状の板部２０と、下側プレート部４を構成する本体４Ａの一側上面に上方に向かうように一体化された矩形状の板部２１とから構成している。従って、収納体２を、板部２０付上側プレート部３と板部２１付下側プレート部４の２部材から構成している。この場合も、図６と同様に、上側プレート部３と下側プレート部４との間に収容物を収容する場合には、左右方向両側に形成される２つの開口を通して行うことになる。
【００５１】
また、図９に示す組立用階段であってもよい。つまり、図１では、前後方向で隣り合う収納体２のうちの前側の収納体２の後端と後側の収納体２の前端とを、共通の左右の支柱６，７に貫通させて千鳥状に配置してブロック体を構成した。このように構成することによって、特別な連結部材を用いることなく、前側の収納体２と後側の収納体２とを共通の左右の支柱６，７により前後方向で連結することができるだけでなく、収納体２の個数を少なくしながらも、同一高さの組立用階段を構成することができ、材料面及び組立作業面のいずれにおいても有利になる。これに対して、支柱６，７を共通化しないで、図９に示すように、１番目から５番目までの収納体２のそれぞれに対して、４本の支柱６，７、６，７に各収納体２を貫通させている。つまり、図１では、前から５番目までの収納部２に使用される支柱６，７が、合計１２本に対して、図９では、合計２０本が必要になる。
【００５２】
また、上記実施形態では、手すり９を、上方に突出した支柱７の延出部７Ａに連結部材１０を連結して構成したが、突出した支柱７の延出部７Ａを折り曲げて手すりを構成してもよい。また、左右一対の支柱６，７を前後方向に沿って二列に配置する他、一列又は三列以上であってもよい。
【００５３】
本発明の組立用階段は、ロフトへ上がるために組み立てられる他、上り下りに必要な場所であれば、室内、室外を問わずどのような場所においても、組み立てて使用することができる。
【符号の説明】
【００５４】
１…ロフト、１Ａ…縁部、２…収納体、３…上側プレート部、４…下側プレート部、３Ａ，４Ａ…本体、３Ｂ，４Ｂ…円筒部、３ｂ，４ｂ…貫通孔、５…スペーサ部、５Ａ…貫通孔、６，７…支柱、６Ａ，７Ａ…延出部、８…床面、１０…連結部材、１１…継手、１１Ａ…連結部、１１Ｂ…連結部、１２…スペーサ、１３…縦壁、１４…内外二重パイプ、１４Ａ…上側パイプ部、１４Ｂ…下側パイプ部、１４ａ…脚部、１５…固定ネジ、１６…連結板部、１７，１８，１９…連結板部、２０，２１…板部、Ｔ…天井面
【図１】
2010229654.tif 000003
【図２】
2010229654.tif 000004
【図３】
2010229654.tif 000005
【図４】
2010229654.tif 000006
【図５】
2010229654.tif 000007
【図６】
2010229654.tif 000008
【図７】
2010229654.tif 000009
【図８】
2010229654.tif 000010
【図９】
2010229654.tif 000011